(57)【特許請求の範囲】
【請求項１】
少なくとも冷蔵室と、冷凍室を有し、前記冷蔵室を最上位に配置すると共に、その冷蔵室内に、製氷機能、貯氷機能を有する製氷室を設け、前記冷蔵室、製氷室、冷凍室の各室温度を独立して所定の温度範囲に保つ冷却手段と独立温度制御手段と、前記製氷室の温度上昇を低減するための製氷室温度上昇低減手段を備え、前記独立温度制御手段は、冷蔵室と製氷室兼用の冷却器と、冷凍室専用の冷却器と、製氷室と冷蔵室とを連通する送風経路と、各室に設けられた送風機とよりなると共に、製氷室、冷凍室の各室温度が上限値にほぼ達した時に、各室の冷気を送り込み前記送風機を、冷却手段のオン動作から所定時間遅れてオン動作する一方、各室温度が下限値にほぼ達した時に、各室へ冷気を送り込む送風機を、冷却手段のオフ動作から所定時間遅れてオフ動作することを特徴とする冷凍冷蔵庫。
【請求項２】
少なくとも冷蔵室と、冷凍室を有し、前記冷蔵室を最上位に配置すると共に、その冷蔵室内に、製氷機能、貯氷機能を有する製氷室を設け、前記冷蔵室、製氷室、冷凍室の各室温度を独立して所定の温度範囲に保つ冷却手段と独立温度制御手段と、前記製氷室の温度上昇を低減するための製氷室温度上昇低減手段を備え、前記独立温度制御手段は、冷蔵室と製氷室兼用の冷却器と、冷凍室専用の冷却器と、製氷室と冷蔵室とを連通する送風経路と、各室に設けられた送風機と、製氷室専用の扉と、製氷室内温度を検知する製氷室温度検知手段と、冷蔵室、製氷室、冷凍室の各室の温度帯を設定する上限値と下限値より成り立つと共に、前記製氷室専用の扉は、内扉と、冷蔵室の開閉扉に設けられた外扉とから成り、前記内扉は、前記開閉扉の開閉と連動せず、前記外扉とのみ連動することを特徴とする冷凍冷蔵庫。
【請求項３】
製氷室は、温度帯を設定する上限値と下限値を可変可能とし、急速製氷機能を備えていることを特徴とする請求項１または２記載の冷凍冷蔵庫。
【請求項４】
送風経路は、冷却器からの冷気が製氷室を通り、再び冷却器に戻る流路と、冷却器からの冷気が製氷室、冷蔵室を通り、再び冷却器に戻る流れとなることを特徴とする請求項３記載の冷凍冷蔵庫。
【請求項５】
少なくとも冷蔵室と、冷凍室を有し、前記冷蔵室を最上位に配置すると共に、その冷蔵室内に、製氷機能、貯氷機能を有する製氷室を設け、前記冷蔵室、製氷室、冷凍室の各室温度を独立して所定の温度範囲に保つ冷却手段と独立温度制御手段と、前記製氷室の温度上昇を低減するための製氷室温度上昇低減手段を備え、前記独立温度制御手段は、冷蔵室と製氷室兼用の冷却器と、冷凍室専用の冷却器と、製氷室と冷蔵室とを連通する送風経路と、各室に設けられた送風機とよりなると共に、前記製氷室温度上昇低減手段は、製氷室専用の扉が開いた時、製氷室へ冷気を送り込む送風機と、冷蔵室へ冷気を送り込む送風機の動作を停止させることを特徴とする冷凍冷蔵庫。
【請求項６】
少なくとも冷蔵室と、冷凍室を有し、前記冷蔵室を最上位に配置すると共に、その冷蔵室内に、製氷機能、貯氷機能を有する製氷室を設け、前記冷蔵室、製氷室、冷凍室の各室温度を独立して所定の温度範囲に保つ冷却手段と独立温度制御手段と、前記製氷室の温度上昇を低減するための製氷室温度上昇低減手段を備え、前記独立温度制御手段は、冷蔵室と製氷室兼用の冷却器と、冷凍室専用の冷却器と、製氷室と冷蔵室とを連通する送風経路と、各室に設けられた送風機とよりなると共に、前記製氷室温度上昇低減手段は、製氷室が基準温度まで冷却された時に、冷蔵室へ冷気を送り込む送風機ををオン動作させることを特徴とする冷凍冷蔵庫。
【発明の詳細な説明】
【０００１】
【発明の属する技術分野】
この発明は、冷凍冷蔵庫に関する。
【０００２】
【従来の技術】
一般に、冷蔵庫にあっては、目的にあった食料品等の保存ができるように、例えば、冷蔵室、冷凍室、野菜室にそれぞれ庫内が分けられたものが主流となっている。
【０００３】
一方、氷は、料理や飲料などと共に良く使用され、氷を作る製氷室は、庫内温度が一番低い冷凍室に設置されるようになっている。
【０００４】
【発明が解決しようとする課題】
氷は、家庭内の誰もが使用する所から、使い勝手の面から考えると、腰や膝を曲げずに取り出せることが望ましいが、最近の冷蔵庫は、野菜室の使い勝手を良くするために、冷蔵室と冷凍室の間に配置される傾向にある。
【０００５】
即ち、野菜室が真中となり、その上方に冷蔵室、下方に冷凍室となる構造となるため、製氷室が配置される冷凍室は一番下に位置し、氷の取り出しに腰や膝を曲げなければならず、氷の取り出しと野菜室の使い勝手とは両立しない不具合いがあった。
【０００６】
そこで、この発明は、前記不具合いを解消し、氷の取り出しを容易にすると共に、最適な製氷室温度が得られる冷凍冷蔵庫を提供することを目的としている。
【０００７】
【課題を解決するための手段】
前記目的を達成するために、この発明は、少なくとも冷蔵室と、冷凍室を有し、前記冷蔵室を最上位に配置すると共に、その前記冷蔵室内に、製氷機能、貯氷機能を有する製氷室を設け、前記冷蔵室、製氷室、冷凍室の各室温度を独立して所定の温度範囲に保つ冷却手段と独立温度制御手段と、前記製氷室の温度上昇を低減するための製氷室温度上昇低減手段を備え、前記独立温度制御手段は、冷蔵室と製氷室兼用の冷却器と、冷凍室専用の冷却器と、製氷室と冷蔵室とを連通する送風経路と、各室に設けられた送風機とよりなることを特徴とする。
【０００８】
これにより、製氷室は最上位に位置する冷蔵室内に配置されているため、腰等を曲げずに氷の取り出しが容易に行える。一方、冷蔵室の開閉扉を頻繁に繰返しても、温度差の大きい冷蔵室内に配置された製氷室内は、独立温度制御手段及び製氷室温度上昇低減手段により、製氷室内温度に維持され、氷が解けることはない。
【０００９】
また、この発明の独立温度制御手段は、製氷室専用の扉と、製氷室内温度を検知する製氷室温度検知手段と、冷蔵室、製氷室、冷凍室の各室の温度帯を設定する上限値と下限値より成り立つ。
【００１０】
これにより、例えば、冷蔵室は（上限４℃、下限２℃）、製氷室は（上限−１４℃、下限−１６℃）、冷凍室は（上限−１９℃、下限−２１℃）の温度帯に設定されると共に、製氷室は、専用の扉によって独立した部屋となるため、温度差の大きい冷蔵室内にあっても、適正な温度帯に維持される。
【００１１】
また、この発明の独立温度制御手段は、製氷室あるいは冷凍室の温度が上限値に達した時に各室の冷却を行う冷却手段をオン動作し、両室の温度が下限値に達した時に各部屋の冷却を行う冷却手段をオフ動作する。
【００１２】
これにより、例えば、冷凍室の温度が上限値に達すると冷却手段がオンとなって冷却が始まる。その後、冷蔵室が下限値に達し、続いて、製氷室、冷凍室の順で下限値に達すると冷却手段はオフとなり冷却停止状態となる。以下、製氷室の温度が上限値に達すると冷却手段がオンとなる動作を繰返すことで温度帯の異なる各室の独立した冷却が行なわれる。
【００１３】
また、この発明の独立温度制御手段は、製氷室、冷凍室の各室温度が上限値にほぼ達した時に、各室へ冷気を送り込む送風機を、冷却手段のオン動作から所定時間遅れてオン動作する一方、各室温度が下限値にほぼ達した時に、各室へ冷気を送り込む送風機を、冷却手段のオフ動作から所定時間遅れてオフ動作する。
【００１４】
これにより、送風機の運転を遅らせることで、確実に冷却されていない暖かい空気を各室へ送風することがなくなり、各室の効率の良い冷却が行える。
【００１５】
また、この発明の製氷室専用の扉は、内扉と、冷蔵室の開閉扉に設けられた外扉とから成り、前記内扉は、前記開閉扉の開閉と連動せず、前記外扉とのみ連動する。
【００１６】
これにより、製氷室の氷を、冷蔵室の開閉扉を開けることなく独立して取り出せると共に、取り出し時の温度影響を冷蔵室に与えることもない。
【００１７】
また、この発明の製氷室は、温度帯を設定する上限値と下限値を可変可能とし、急速製氷機能を備えている。
【００１８】
これにより、例えば、下限値の温度をさらに下げることで、製氷室で作られた氷同志のくっ付きをなくすことができる。また、氷がすぐに必要な場合でも急速製氷モードとすることで氷を迅速に作れる。
【００２１】
また、この発明の送風経路は、冷却器からの冷気が製氷室を通り、再び冷却器に戻る流れと、冷却器からの冷気が製氷室、冷蔵室を通り、再び冷却器に戻る流れとなる。
【００２２】
これにより、冷却器からの冷気は、必ず、製氷室を冷却した後、冷蔵室へ流れるため、製氷室に比べて比較的高い庫内温度に設定される冷蔵室内の冷え過ぎを防ぐことができると共に、温度の振幅を低減できる。
【００２３】
また、この発明の製氷室温度上昇低減手段は、製氷室専用の扉が開いた時、製氷室へ冷気を送り込む送風機と、冷蔵室へ冷気を送り込む送風機の動作を停止させる。
【００２４】
これにより、扉が開いた時に、製氷室内の冷気を外へ逃がすことがなくなり、製氷室の温度上昇が押さえられる。
【００２５】
また、この発明の製氷室温度上昇低減手段は、製氷室が基準温度まで冷却された時に、冷蔵室へ冷気を送り込む送風機をオン動作させる。
【００２６】
これにより、製氷室の冷却時に、製氷室より高い冷蔵室内の冷気が製氷室内へ送り込まれることがなくなり、製氷室内の温度上昇を低減できる。
【００２７】
また、この発明の製氷室温度上昇低減手段は、製氷室の冷気出口に、冷気の自然流出を低減する冷気堰を設ける。
【００２８】
これにより、製氷室内が下限値に達して冷気の供給が停止された時に、冷気の自然流出が低減できるため、長時間に亘り安定した製氷温度帯に維持することができる。
【００２９】
【発明の実施の形態】
以下、図１乃至図６の図面を参照しながらこの発明の第１の実施形態について具体的に説明する。
【００３０】
図１において、１は冷凍冷蔵庫を示している。冷凍冷蔵庫１は、上方から冷蔵室３，野菜室５，第１冷凍室７，第２冷凍室９を有し、各室３，５，７，９は、開閉可能な開閉扉１１によって食料品等の出し入れが可能となっている。
【００３１】
冷蔵室３には、製氷機能と貯氷機能とを備えた製氷室１３が配置されている。
【００３２】
製氷室１３は、仕切壁１５により独立した部屋に作られていて、内部には、氷を作る製氷器１７と製氷器１７で作られた氷をストックする出し入れ可能な製氷皿１９が設けられている。製氷皿１９は、前方の内扉２１を開けることで出し入れが可能となっている。
【００３３】
内扉２１は、冷蔵室３の開閉扉１１に設けられた外扉２３と連動し、外扉２３を開けると内扉２１も一緒に開くようになっている。
【００３４】
即ち、図４，図５に示す如く、内扉２１は、下ヒンジ２５を支点として上端側が回動するようになっていて、付勢ばね２７により付勢されている。付勢ばね２７は、一端が内扉２１の上方側壁に、他端は製氷室１３を構成する仕切壁１５の下方壁面にそれぞれ取付けられ、内扉２１を、例えば、全閉状態から開扉方向へ回動していくと、付勢ばね２７は、ばね圧に抗して伸長し、付勢ばね２７のばね軸線が内扉２１の下ヒンジ２５のヒンジ軸線Ｘを越えるまでは、付勢ばね２７によるばね圧によって閉扉方向へ付勢する付勢力が働くようになっている。付勢ばね２７は、下ヒンジ２５のヒンジ軸線Ｘ位置で伸びが最大となり、下ヒンジ２５のヒンジ軸線Ｘを、越える支点越えで、縮まろうとする付勢ばね２７のばね圧により内扉２１を開扉方向へ付勢する付勢力が働くようになる。
【００３５】
一方、外扉２３は、上方の取手２９を持って手前へ引くことで、下ヒンジ３１を支点として上端側が回動するようになっていて、側方には、押圧レバー３３が設けられている。押圧レバー３３は、外扉２３が開扉方向へ回動すると、内扉２１に設けられた内扉レバー３５を矢印の如く時計方向へ押圧することで、内扉２１を開扉方向へ回動するよう機能するようになっている。
【００３６】
したがって、開扉状態の内扉２１は、外扉２３を閉扉方向（図５矢印）へ回動することで外扉２３と一緒に閉まるようになる。
【００３７】
なお、内扉２１は、冷蔵室３の開閉扉１１が開いている時は、単独で手で開け閉めを行なうことが可能となる。
【００３８】
製氷室１３の後部には第１の冷却器３７が配置され、この第１の冷却器３７は、冷蔵室３の冷却器を兼ねている。第１の冷却器３７の上方には、製氷室用の送風機３９と冷蔵室用の送風器４１がそれぞれ配置され、製氷室用の送風機３９が回転することで、前記第１の冷却器３７において熱交換された冷気が製氷室１３内へ送り込まれるようになっている。また、冷蔵室用の送風機４１が回転することで、前記製氷室１３内を循環した冷気が冷蔵室３内へ送り込まれるようになっている。
【００３９】
一方、第１，第２冷凍室７，９は、仕切壁４３により野菜室５と独立していて、その後部には、第２の冷却器４５が配置されている。第２の冷却器４５の上方には冷凍室用の送風機４７が配置され、冷凍室用の送風機４７が回転することで、前記第２の冷却器４５において熱交換された冷気が第１，第２冷凍室７，９内を独立して循環するようになっている。
【００４０】
図６は、前記第１，第２の冷却器３７，４５を備えた回路図を示しており、切替弁４９の切替え制御により、圧縮器５１から吐出された冷媒が、実線で示す如く、凝縮器５３，第１キャピラリチューブ５５，第１の冷却器３７，第２の冷却器４５を通り、再び圧縮機５１に戻る冷凍サイクルを構成する。また、点線で示す如く圧縮機５１から吐出された冷媒が、凝縮器５３，第２キャピラリチューブ５７，第２の冷却器４５を通り、再び圧縮器５１に戻る冷凍サイクルを構成し、前記冷蔵室３と製氷室１３と第１，第２冷凍室７，９は、独立温度制御手段により所定の温度帯に設定される。
【００４１】
独立温度制御手段は、前記した製氷室１３の内扉２１と、製氷室１３内の温度を検知する製氷室温度検知手段となる温度センサＳ３と、冷蔵室３，製氷室１３，第１，第２冷凍室７，９の温度帯を設定する上限値と下限値より成っている。
【００４２】
冷蔵室３には、例えば、冷蔵室３の上限値４℃と下限値２℃を検知する冷蔵室温度検知センサＳ１と開閉状態を検知する開閉扉検知センサＳ２が設けられている。
【００４３】
製氷室１３には、例えば、製氷室１３の上限値−１４℃と下限値−１６℃を検知する製氷室温度検知センサＳ３と、内扉開閉検知センサＳ４が設けられている。内扉開閉検知センサＳ４は、内扉２１が開いた時に、製氷室用の送風機３９と、冷蔵室用の送風機４１の動作を一時停止させることで、製氷室１３内の冷気が外へ逃げるのを阻止し、製氷室１３の温度上昇を低減する製氷室温度上昇低減手段となっている。
【００４４】
第１，第２冷凍室７，９には、例えば、冷凍室７，９の上限値−１９℃と下限値−２１℃を検知する冷凍室温度検知センサＳ５が設けられている。
【００４５】
このように構成された冷凍冷蔵庫によれば、氷を取り出すには、外扉２３の取手２９を手前へ引くことで、内扉２１は外扉２３と一緒に回動するため、製氷室１３内から腰や膝を曲げることなく容易に氷を取り出すことが出来る。また、氷の取出し時に冷蔵室３内へ温度影響を与えることはない。
【００４６】
一方、冷蔵室３，製氷室１３，第１，第２冷凍室７，９の運転制御は、図３に示す如く、冷凍室７，９の温度が設定の上限値に達すると、圧縮機５１及び第２の冷却器４５，送風機４７等の冷却手段がオフ状態からオン動作し、第１，第２冷凍室７，９内の冷却が始まる。この冷却により庫内温度が下限値に達すると冷却手段はオフとなり、以下、上限値、下限値に対応してオン、オフ動作を繰返すことで、第１，第２冷凍室７，９は、上限値（−１９℃）と下限値（−２１℃）の温度帯に制御される。
【００４７】
また、製氷室１３内の温度が設定の上限値に達すると、圧縮機５１及び第１の冷却器３７，送風機３９等の冷却手段がオン動作し、製氷室１３内の冷却が始まる。この冷却により温度が下限値に達すると冷却手段はオフとなり、以下、上限値、下限値に対応してオン・オフ動作を繰返すことで製氷室１３は上限値（−１４℃）と下限値（−１６℃）の温度帯に制御される。
【００４８】
また、冷蔵室３内の温度が設定の上限値に達すると、冷蔵室用の送風機４１がオン動作して冷気が冷蔵室３内に送り込まれ冷却が始まる。この冷却により温度が下限値に達すると冷蔵室用の送風機４１はオフとなり、以下、上限値、下限値に対応してオン・オフ動作を繰返すことで冷蔵室３は上限値（４℃）と下限値（２℃）の温度帯に制御される。
【００４９】
図７は、各室の効率のよい冷却が行なえるようにした第２の実施形態を示したものである。
【００５０】
即ち、冷蔵室３，製氷室１３，第１，第２冷凍室７，９の各室温度が上限値にほぼ達した時に、各室３，１３，７，９へ冷気を送り込む冷蔵室用の送風機４１，製氷室用の送風機３９，冷凍室用の送風機４７を、各冷却手段のオン動作から所定時間遅れてオン動作する一方、各室３，１３，７，９の温度が下限値にほぼ達した時に、前記各送風機４１，３９，４７を、冷却手段のオフ動作から所定時間遅れてオフ動作することで構成される独立温度制御手段となっている。
【００５１】
なお、他の構成要素は第１の実施形態と同一のため同一符号を付して詳細な説明を省略する。
【００５２】
したがって、この第２の実施形態によれば、各送風機４１，３９，４７の運転を、冷却手段となる圧縮機５１等のオン動作時よりも遅らせることができるため、例えば、第１，第２の冷却器３７，４５において、十分熱交換されていない暖かい空気を各室３，１３，７，９へ送風することがなくなり、各室３，１３，７，９の効率のよい冷却が行なえる。
【００５３】
図８は、製氷室１３の温度帯を可変制御できるようにした第３の実施形態を示したものである。
【００５４】
即ち、冷蔵室３内に設けられた設定温度ダイヤル５９により、通常の上限値（−１４℃）と下限値（−１６℃）の外に、太い実線で示す如く通常の上限値及び下限値よりさらに低く上限値と下限値に設定できるようにするものである。
【００５５】
なお、他の構成要素は第１の実施形態と同一のため、同一符号を付して詳細な説明を省略する。
【００５６】
したがって、この第３の実施形態によれば、製氷室１３の通常の上限値と下限値を、さらに低い設定モードとすることで、氷の融解によるくっ付きを解消できると共に、氷が早く必要な時に迅速に作れるようになる。
【００５７】
図９，図１０は、冷蔵室３が冷え過ぎないようにした第４の実施形態を示したものである。
【００５８】
即ち、製氷室１３内に、第１の冷却器３７と、冷蔵室３へ通じる連通用の送風経路６１と、第１の冷却器３７の上方に製氷室用の送風機３９とを有する独立温度制御手段を構成している。製氷室用の送風機３９は、回転することで第１の冷却器３７において熱交換された冷気を実線で示す如く製氷室１３内を循環させるよう機能する。
【００５９】
一方、冷蔵室３内には、前記連通用の送風経路６１が臨む冷気取入口６３に冷蔵室用の送風機４１が配置されている。冷蔵室用の送風機４１は、回転することで、冷気取入口６３から製氷室１３内に循環した冷気の一部を冷蔵室３内へ送り出し、循環用の送風経路６５を介して再び、前記第１の冷却器３７へ戻すよう機能する。
【００６０】
なお、他の構成要素は、第１の実施形態と同一のため同一符号を付して詳細な説明を省略する。
【００６１】
したがって、この第４の実施形態によれば、製氷室１３と大きな温度差を有する冷蔵室３にあっても、第１の冷却器３７によって熱交換された冷気は、必ず製氷室１３内を循環冷却し、その一部が連通用の送風通路６１を介して冷蔵室３内へ送り込まれるため、冷蔵室３内の冷え過ぎをなくすことができる。また、温度の振幅を低減できる。
【００６２】
図１１は、製氷室１３の温度上昇の低減を図った第５の実施形態を示したものである。
【００６３】
即ち、冷蔵室用の送風機４１を動作させる動作指令信号入力時に、製氷室１３を基準温度まで冷却した後に、前記冷蔵室用の送風機４１をオン動作することで構成される製氷室温度上昇低減手段となっている。
【００６４】
なお、他の構成要素は第１の実施形態と同一のため同一符号を付して詳細な説明を省略する。
【００６５】
したがって、この第５の実施形態によれば、冷蔵室用の送風機４１に動作指令信号が入力されても、（ｂ）実線で示す如く冷却手段は製氷室１３温度が基準値に達するまでは製氷室１３を冷却（プリクール）する。同時に送風機４１はオフの待機状態におかれるため、製氷室１３に比べて大きな温度差を有する冷蔵室３内の空気を製氷室１３内へ送り込むことがなくなり、冷蔵室冷却時の製氷室１３内の上限値を越える温度上昇（（ｂ）点線）を抑え、実線の如く上限値と下限値の温度帯内に維持することができる。
【００６６】
図１２は、製氷室１３の温度上昇の低減を図った第６の実施形態を示したものである。
【００６７】
即ち、製氷室１３の冷気出口６５に、冷気の自然流出を低減する冷気堰６７を設けることで構成される製氷室温度上昇低減手段となっている。
【００６８】
なお、他の構成要素は第１の実施形態と同一のため同一符号を付して詳細な説明を省略する。
【００６９】
したがって、この第６の実施形態によれば、製氷室１３内が下限値に達して冷却手段が停止しても、冷気は冷気堰６７にせき止められて、自然流出が阻止される結果、製氷室１３内の温度上昇を押えることができる。
【００７０】
【発明の効果】
以上、説明したように、この発明の冷凍冷蔵庫によれば、最上位に配置する冷蔵室内に製氷室を設けたので、腰や膝を曲げることなく氷を容易に取出すことができるようになり、氷の使い勝手が向上する。
【００７１】
また温度差の大きい冷蔵室内に配置された製氷室をその大きな温度差に影響され区ことなく最適な製氷室温度に維持することができると共に、各室の効率のよい冷却が行える。
【図面の簡単な説明】
【図１】この発明に係る冷凍冷蔵庫の概要切断面。
【図２】この発明に係る冷凍冷蔵庫の概要正面図。
【図３】冷蔵室、製氷室、冷凍室の上限値と下限値を冷却手段のオン・オフにより制御するようにした動作説明図。
【図４】製氷室の内扉と外扉が閉じた状態の動作図。
【図５】製氷室の内扉と外扉が開いた状態の動作図。
【図６】第１，第２の冷却器を備えた冷凍回路図。
【図７】冷却手段のオン・オフ動作に対して、各室の送風機を遅らせてオン・オフ動作するようにした動作説明図。
【図８】製氷室の上限値と下限値を可変とした動作説明図。
【図９】製氷室内の冷気が連通用の送風経路を介して冷蔵室内へ流れるようにした動作説明図。
【図１０】冷気が製氷室内を循環するようにした動作説明図。
【図１１】製氷室内温度が基準値に達した時に、冷蔵室用の送風機のオン動作を行うようにした動作説明図。
【図１２】製氷室の冷気出口に、冷気の自然流出を阻止する冷気堰を設けた説明図。
【符号の説明】
３  冷蔵室
７，９  第１，第２の冷凍室（冷凍室）
１３  製氷室
【図１】
0003545617.tif 000002
【図２】
0003545617.tif 000003
【図３】
0003545617.tif 000004
【図４】
0003545617.tif 000005
【図５】
0003545617.tif 000006
【図６】
0003545617.tif 000007
【図７】
0003545617.tif 000008
【図８】
0003545617.tif 000009
【図９】
0003545617.tif 000010
【図１０】
0003545617.tif 000011
【図１１】
0003545617.tif 000012
【図１２】
0003545617.tif 000013